【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
呼吸器であって、
ろ過空気用の内室を画定するとともに、大気から前記内室へのろ過空気の通過用の少なくとも１つの吸気開口部、および前記内室から大気への空気の通過用の少なくとも１つの呼気開口部を含む面体と、
前記面体に取り外し可能に取り付けられるとともに前記面体の前記内室への清浄化した大気の通過用の少なくとも１つの吸気開口部と流体連通するろ過キャニスタと、
前記少なくとも１つの吸気開口部に取り付けられ、前記ろ過キャニスタが前記面体から取り外されたときに前記少なくとも１つの吸気開口部を密封して、空気がそこから吸入されることを防止し、前記ろ過キャニスタが前記面体に取り付けられたときに前記少なくとも１つの吸気開口部を開いて空気がそこから吸入されることができるようになっている自己密封弁と、
前記少なくとも１つの呼気開口部に取り付けられ、前記少なくとも１つの呼気開口部を密封して空気がそこから吸入されることを防止し、前記少なくとも１つの呼気開口部を開いて空気がそこから吐き出されることができるようになっている音声送信器および呼気弁モジュールであって、
内面、外面、および外壁を有するモジュール本体、
前記モジュール本体の内側壁によって画定されるとともに、該モジュールの前記内面および前記外面にある開口部の間に延びて前記内面と前記外面を流体接続する空気流キャビティ、
前記空気流キャビティ内に配置された空気流誘導部、および
前記モジュール本体に前記空気流キャビティ内にて取り付けられ、吸入中に閉じて前記空気流キャビティを流体密封し、呼気時に開くようになっている出口弁
を備える音声送信器および呼気弁モジュールと
を備え、
前記モジュールの前記内側壁は、呼気時に前記出口弁が開位置にある時、前記空気流誘導部および前記出口弁とともにホーン拡張輪郭線の形状をした空気流チャネルを形成することを特徴とする、呼吸器。
【請求項２】
前記ホーン拡張の形状は、円錐、指数関数曲線、双曲線、追跡線、またはそれらの組合わせである、請求項１に記載の呼吸器。
【請求項３】
前記モジュールの内部から外部にかけての前記空気流チャネルは、半径方向および軸方向外側に延び、次に半径方向内側および軸方向外側に滑らかな曲線を描いて湾曲し、続いて軸方向外側に滑らかな曲線を描いて湾曲し、軸方向が逆になることはない、請求項１に記載の呼吸器。
【請求項４】
前記モジュール本体の前記外面に隣接した飲料容器に、前記モジュール本体の前記内面から突出したマウスピースを選択的に流体接続する飲用管をさらに含む、請求項１に記載の呼吸器。
【請求項５】
前記出口弁は、中央本体部と略円錐のスカートを有するドーム形状をしている、請求項１に記載の呼吸器。
【請求項６】
前記出口弁の前記円錐スカートは、前記モジュール本体の前記外面に向って外側にわずかに凸状になっている、請求項５に記載の呼吸器。
【請求項７】
前記出口弁はさらに、前記中央本体部と前記円錐スカートとの間に、開位置および閉位置間で前記出口弁を切り換える凸状肩ヒンジを有する、請求項５または６に記載の呼吸器。
【請求項８】
前記凸状肩ヒンジは、前記モジュール本体の前記内面に向いて開いたチャネルを形成する、請求項７に記載の呼吸器。
【請求項９】
前記空気流誘導部は、前記モジュールの前記外面を向いた略円錐の表面を有する、請求項１ないし６のいずれか１項に記載の呼吸器。
【請求項１０】
前記空気流誘導部の前記円錐表面は凹状である、請求項９に記載の呼吸器。
【請求項１１】
前記空気流誘導部は、前記モジュールの前記内面に向いた比較的平坦な底部表面を有する、請求項９または１０に記載の呼吸器。
【請求項１２】
前記呼気弁の外縁は、前記呼気弁が開位置にあるときに前記空気流誘導部の前記底部表面に当接する、請求項１１に記載の呼吸器。
【請求項１３】
前記空気流誘導部の前記底部表面は、前記開位置での前記呼気弁の固着を防止する逃がしチャネルを有する、請求項１２に記載の呼吸器。
【請求項１４】
前記モジュールはさらに、前記マスクの使用者が保持する無線電信器またはアンプに前記マスクのマイクロホンを接続する内部取付具および外部取付具を有する電気通信ブロックを含む、請求項１ないし６のいずれか１項に記載の呼吸器。
【請求項１５】
呼吸器の呼気開口部に取り付けられるようになっており、かつ前記呼気開口部を密封して空気がそこから吸入されることを防止し、前記呼気開口部を開いてそこから吐き出されることができるようになっている音声送信器および呼気弁モジュールであって、
内面および外面を有するモジュール本体と、
前記内面および前記外面を流体接続する中央キャビティと、
前記中央キャビティ内に配置された空気流誘導部であって、前記モジュール本体とともに、呼気時にホーン拡張輪郭線の形状をした空気流チャネルを形成する、空気流誘導部と、
吸気時に閉じて前記中央キャビティを前記内面から流体密封し、呼気時に開くようになっている出口弁と
を備え、
前記モジュールの内部から外部にかけての前記空気流チャネルは、半径方向および軸方向外側に延び、次に半径方向内側および軸方向外側に滑らかな曲線を描いて湾曲し、続いて軸方向外側に滑らかな曲線を描いて湾曲し、軸方向が逆になることはないことを特徴とする音声送信器および呼気弁モジュール。
【請求項１６】
前記ホーン拡張の形状は、円錐、指数曲線、双曲線、追跡線、またはそれらの組合わせである、請求項１５に記載の音声送信器および呼気弁モジュール。
【請求項１７】
前記出口弁は、中央本体部および略円錐のスカートを有するドーム形状をしている、請求項１５に記載の音声送信器および呼気弁モジュール。
【請求項１８】
前記出口弁の前記円錐スカートは、前記モジュール本体の前記外面に向って外側にわずかに凸状になっている、請求項１７に記載の音声送信器および呼気弁モジュール。
【請求項１９】
前記出口弁はさらに、前記中央本体部と前記円錐スカートとの間に、開位置および閉位置間で前記出口弁を切り換える凸状肩ヒンジを有する、請求項１７または１８に記載の音声送信器および呼気弁モジュール。
【請求項２０】
前記凸状肩ヒンジは、前記モジュール本体の前記内面に向いて開いたチャネルを形成する、請求項１９に記載の音声送信器および呼気弁モジュール。
【請求項２１】
前記出口弁は、該出口弁が前記開位置にあるときに空気流通路の一部を形成する、請求項１５に記載の音声送信器および呼気弁モジュール。
【請求項２２】
前記マスクの使用者が保持する電動送信機に前記マスクのマイクロホンを接続する、内部取付具および外部取付具を有する電気通信ポートをさらに含む、請求項１５ないし１８、および２１のいずれか１項に記載の音声送信器および呼気弁モジュール。
【請求項２３】
前記空気流誘導部は、該モジュールの前記外面に向いた略円錐の表面を有する、請求項１５ないし１８、および２１のいずれか１項に記載の音声送信器および呼気弁モジュール。
【請求項２４】
前記空気流誘導部は、該モジュールの前記内面に向いた比較的平坦な底部表面を有する、請求項２３または２４に記載の音声送信器および呼気弁モジュール。
【請求項２５】
前記呼気弁の外縁は、該呼気弁が前記開位置にあるときに前記空気流誘導部の前記底部表面に当接する、請求項２４に記載の音声送信器および呼気弁モジュール。
【請求項２６】
前記空気流誘導部の前記底部表面は、前記開位置での前記呼気弁の固着を防止する逃がしチャネルを有する、請求項２５に記載の音声送信器および呼気弁モジュール。
【請求項２７】
呼吸器であって、
ろ過空気用の内室を画定するとともに、大気から該内室へのろ過空気の通過用の少なくとも１つの吸気開口部、および前記内室から大気への空気の通過用の少なくとも１つの呼気開口部を含む面体と、
前記面体に取り外し可能に取り付けられるとともに前記面体の前記内室への清浄化した大気の通過用の少なくとも１つの吸気開口部と流体連通するろ過キャニスタと、
前記少なくとも１つの吸気開口部に取り付けられ、前記ろ過キャニスタが前記面体から取り外されたときに前記少なくとも１つの吸気開口部を密封して空気がそこから吸入されることを防止し、前記ろ過キャニスタが前記面体に取り付けられたときに前記少なくとも１つの吸気開口部を開いて空気がそこから吸入されることができるようになっている自己密封弁と、
前記少なくとも１つの呼気開口部に取り付けられ、前記少なくとも１つの呼気開口部を密封して空気がそこから吸入されることを防止し、前記少なくとも１つの呼気開口部を開いて空気がそこから吐き出されることができるようになっている音声送信器および呼気弁モジュールであって、
内面、外面、および外壁を有するモジュール本体、
前記モジュール本体の内側壁によって画定されるとともに、該モジュールの前記内面および前記外面にある開口部間に延びて前記内面と前記外面を流体接続する空気流キャビティ、
前記空気流キャビティ内に配置された空気流誘導部、および
前記モジュール本体に前記空気流キャビティ内にて取り付けられ、吸入中に閉じて前記空気流キャビティを流体密封し、呼気時に開くようになっている出口弁
を備える音声送信器および呼気弁モジュールと
を備え、
前記モジュールの前記内側壁は、呼気時に前記出口弁が開位置にある時に、前記空気流誘導部とともに、ホーン拡張輪郭線の形状をした空気流チャネルを形成し、
前記マスクの使用者が保持する無線電信器またはアンプに前記マスクのマイクロホンを接続する、内部取付具および外部取付具を有する電気通信ブロックを特徴とする、呼吸器。
【請求項２８】
呼吸器であって、
ろ過空気用の内室を画定するとともに、大気から該内室へのろ過空気の通過用の少なくとも１つの吸気開口部、および前記内室から大気への空気の通過用の少なくとも１つの呼気開口部を含む面体と、
前記面体に取り外し可能に取り付けられるとともに前記面体の前記内室への清浄化した大気の通過用の少なくとも１つの吸気開口部と流体連通するろ過キャニスタと、
前記少なくとも１つの吸気開口部に取り付けられ、前記ろ過キャニスタが前記面体から取り外されたときに前記少なくとも１つの吸気開口部を密封して空気がそこから吸入されることを防止し、前記ろ過キャニスタが前記面体に取り付けられたときに前記少なくとも１つの吸気開口部を開いて空気がそこから吸入されることができるようになっている自己密封弁と、
前記少なくとも１つの呼気開口部に取り付けられ、前記少なくとも１つの呼気開口部を密封して空気がそこから吸入されることを防止し、前記少なくとも１つの呼気開口部を開いて空気がそこから吐き出されることができるようになっている音声送信器および呼気弁モジュールであって、
内面、外面、および外壁を有するモジュール本体、
前記モジュール本体の内側壁によって画定されるとともに、該モジュールの前記内面および前記外面にある開口部間に延びて前記内面と前記外面を流体接続する空気流キャビティ、
前記空気流キャビティ内に配置された空気流誘導部、および
前記モジュール本体に前記空気流キャビティ内にて取り付けられ、吸気時に閉じて前記空気流キャビティを流体密封し、呼気時に開くようになっている出口弁
を備える音声送信器および呼気弁モジュールと
を備え、
前記出口弁は、中央本体部および略円錐のスカートを有するドーム形状をしていることを特徴とする、呼吸器。
【請求項２９】
前記出口弁の前記円錐スカートは、前記モジュール本体の前記外面に向いて外側にわずかに凸状になっている、請求項２８に記載の呼吸器。
【請求項３０】
前記出口弁はさらに、前記中央本体部と前記円錐スカートとの間に、開位置および閉位置間で前記出口弁を切り換える凸状肩ヒンジを有する、請求項２７または２８に記載の呼吸器。
【請求項３１】
前記凸状肩ヒンジは、前記モジュール本体の前記内面に向いて開いたチャネルを形成する、請求項３０に記載の呼吸器。